(57)【要約】【課題】撮影される画像をフレーミングできるようにする。【解決手段】アナモルフィックコンバージョン装置１はコンパクトカメラ、レンズ付きフィルムユニットなどのカメラの前面に取り付けて使用される。レンズ支持体５は、回転自在であり、撮影用レンズ７を中心に、ファインダ用レンズ９がファインダ２ｄ前面に配置される横方向圧縮位置と、ファインダ用レンズ１１がファインダ２ｄ前面に配置される縦方向圧縮位置との間で回転する。各レンズを通したとき画像はＢ方向に圧縮される。これにより、横方向圧縮位置においては、撮影画像及びフレーミング画像は横方向に圧縮され、縦方向圧縮位置においては、撮影画像及びフレーミング画像は縦方向に圧縮される。【選択図】　　　　図１
2004118057.tif 000002
【特許請求の範囲】
【請求項１】
撮影光学系とファインダ光学系とが別々に設けられているカメラの前方に取り付けられ、撮影光学系の前方に撮影用のアナモルフィックレンズを配置し、被写体を１方向に圧縮した画像を撮影できるようにするアナモルフィックコンバージョン装置において、
前記ファインダ光学系の前方に、ファインダ用のアナモルフィックレンズを配置し、撮影する画像に対応したファインダ像が得られるようにしたことを特徴とするアナモルフィックコンバージョン装置。
【請求項２】
前記ファインダ用アナモルフィックレンズは、撮影光学系の周囲に９０°の回転位置間隔にて２つ配置されており、撮影用のアナモルフィックレンズを回転させることで、いずれか一方のファインダ用アナモルフィックレンズをファインダ光学系の前方に配置することを特徴とする請求項１記載のアナモルフィックコンバージョン装置。
【請求項３】
前記ファインダ用のアナモルフィックレンズは、撮影用のアナモルフィックレンズの回転に連動して、ファインダ光軸を中心に回転することを特徴とした請求項１記載のアナモルフィックコンバージョン装置。
【発明の詳細な説明】
【０００１】
【発明の属する技術分野】
本発明は、カメラ前面に取り付けることによって被写体を１方向に圧縮した画像の撮影を可能とするアナモルフィックコンバージョン装置に関するものである。
【０００２】
【従来の技術】
１眼レフカメラ、コンパクトカメラ、レンズ付きフィルムユニット、ビデオカメラなどの様々なカメラでは、被写体像を効果的に演出するために、様々な特殊撮影効果をもたらす各種の特殊撮影フィルタを撮影レンズの前面等に取り付けることが行われている。このような特殊フィルタには、例えば、被写体画像の特定色を吸収する色付きフィルタ、縦又は横の比率を変化させる偏倍フィルタ、中央画像の周囲に相似形の画像を面の数だけ写し込む多重フィルタ等が一般に市販されている。
【０００３】
これら特殊フィルタのうち、被写体の１方向を圧縮することのできる偏倍フィルタは、被写体に「スリムになりたい。」「写真にはやせて写りたい。」という願望がある場合等に、被写体を横方向に圧縮してスリムに写すことができるといった撮影効果が演出できる。また、縦長の記念碑、看板などは、被写体を縦方向に圧縮することによって、記されている文字を見やすくすることができる。
【０００４】
偏倍フィルタとしては、特開平７−３３３４９７号公報に提案されているような凹状円柱面レンズと、凸状円柱面レンズの２種類のレンズを組み合わせたアナモルフィックレンズ群を撮影レンズ前面に取り付け、被写体を１方向に対して偏倍するアナモルフィックコンバージョン装置が知られている。
【０００５】
【発明が解決しようとする課題】
しかしながら、コンパクトカメラ、レンズ付きフィルムユニット等のように、撮影光学系とファインダ光学系とが別々に設けられ、撮影レンズを通した画像が、撮影時に認識できないカメラにおいて、上述したような偏倍フィルタを用いる場合、撮影者にはどのような画像が撮影されているのか現像されるまで分からないといった問題があった。
【０００６】
本発明は上記問題を解決するために、偏倍レンズを回転させ被写体圧縮方向を切り替えながら撮影を行う場合であっても、撮影される画像に対応した画像を、ファインダにて確認しながら撮影をすることができるアナモルフィックコンバージョン装置を提供することを目的とする。
【０００７】
【課題を解決するための手段】
上記目的を達成するために本発明のアナモルフィックコンバージョン装置は、撮影光学系とファインダ光学系とが別々に設けられているカメラの前方に取り付けられ、撮影光学系の前方に撮影用のアナモルフィックレンズを配置し、被写体を１方向に圧縮した画像を撮影できるようにするアナモルフィックコンバージョン装置において、前記ファインダ光学系の前方に、ファインダ用のアナモルフィックレンズを配置し、撮影する画像に対応したファインダ像が得られるようにしたことを特徴としている。
【０００８】
ファインダ用アナモルフィックレンズを、撮影光学系の周囲に９０°の回転位置間隔に２つ配置し、撮影用のアナモルフィックレンズを回転させることで、いずれか一方のファインダ用アナモルフィックレンズがファインダ光学系の前方に配置されるようにしてもよい。また、ファインダ用のアナモルフィックレンズを、撮影用のアナモルフィックレンズの回転に連動して、ファインダ光軸を中心に回転するようにしてもよい。
【０００９】
【発明の実施の形態】
図１に示すアナモルフィックコンバージョン装置１は、コンパクトカメラ、レンズ付きフィルムユニット等のように、撮影光学系とファインダ光学系とが別々に設けられ、撮影レンズを通した画像が、撮影時に認識できないカメラに取り付けて使用するものである。そして、図２で示すように、このアナモルフィックコンバージョン装置１をコンパクトカメラ２の前方に取り付けることによって、被写体を１方向に圧縮した画像が撮影できるようになる。
【００１０】
アナモルフィックコンバージョン装置１は、台座３、レンズ支持体５、撮影用レンズ７、ファインダ用レンズ９、１１により構成されている。なお、図１において符号２ｃはコンパクトカメラ２の撮影レンズを、２ｄはコンパクトカメラ２のファインダを示すものである。
【００１１】
台座３は、中央に円筒形の開口３ｃが設けられた、リング状の部材である。そして、上端及び下端には、係止爪３ａ、３ｂがそれぞれ設けられている。一方コンパクトカメラ２には、係止穴２ａ、２ｂが設けられており、係止爪３ａは係止穴２ａと、係止爪３ｂは係止穴２ｂとそれぞれ係合する。これらによって、アナモルフィックコンバージョン装置１は、コンパクトカメラ２に対して取り付け又は取り外しができるようになっている。
【００１２】
レンズ支持体５は、円筒形状の本体部６と、本体部６の外周に突設された２つの矩形の枠部８，１０とからなる。本体部６には、撮影レンズ２ｃの光軸方向を開放する開口が設けられている。本体部６の背面には、台座３の開口３ｃに嵌合される嵌合筒が設けられている。嵌合筒の外周面には、開口３ｃの内壁に設けられた溝に係合する突起が設けられており、レンズ支持体５は台座３に回転自在に支持される。
【００１３】
本体部６の前面には、開口５ａが設けられており、撮影用レンズ７が嵌め込まれる。枠部８，１０は、レンズ支持体５の回転軸に対して９０°の回転位置間隔にて配置されている。枠部８，１０には開口５ｂ、５ｃがそれぞれ設けられており、ファインダ用レンズ９，１１がそれぞれ嵌め込まれる。
【００１４】
開口５ａと開口５ｂは、コンパクトカメラ２の撮影レンズ２ｃとファインダレンズ２ｄの位置関係に対応するように設けられている。そして、開口５ａと開口５ｃは、レンズ支持体５が９０°回転したときに、コンパクトカメラ２の撮影レンズ２ｃとファインダレンズ２ｄの位置関係に対応するように設けられている。
【００１５】
図３に示したように、撮影用レンズ７は、撮影光軸方向から見ると正方形の凹状円柱面レンズ７ａ及び凸状円柱面レンズ７ｂより構成されるアナモルフィックレンズを使用している。この撮影用レンズ７を通すことによって被写体はＢ方向に圧縮される。すなわち、図４（ｂ）に示したように、この撮影用レンズ７をＢ方向を水平にした状態でコンパクトカメラ２の撮影レンズ２ｃの前方に配置すると、アナモルフィックレンズ非装着の場合を示す同図（ａ）に比べ、水平方向の画角が広がり、その結果、撮影される画像は、横方向に圧縮されたものとなる。同様に、同図（ｃ）にに示すように、Ｂ方向を垂直にして配置すると、撮影される画像は、垂直方向に圧縮されたものとなる。
【００１６】
この撮影用レンズ７は、コンパクトカメラ２にアナモルフィックコンバージョン装置１を取り付けて撮影を行った場合に、撮影される画像がケラれることのないように、コンパクトカメラ２の撮影レンズ２ｃの撮影画角よりも十分に大きく設けられている。
【００１７】
ファインダ用レンズ９は、撮影用レンズ７と同様に、ファインダ光軸方向から見ると正方形である凹状円柱面レンズ９ａ及び凸状円柱面レンズ９ｂより構成されるアナモルフィックレンズを使用している。そして、ファインダ用レンズ９を通すことによって被写体は、Ｂ方向に圧縮されフレーミングされる。このファインダ用レンズ９による被写体の圧縮率は、撮影用レンズ７を通すことによる被写体の圧縮率と同じになるようにしてある
【００１８】
このファインダ用レンズ９は、コンパクトカメラ２にアナモルフィックコンバージョン装置１を取り付けて撮影を行った場合に、フレーミング画像がケラれることのないように、コンパクトカメラ２のファインダ２ｄのフレーミング画角よりも十分に大きく設けられている。なお、ファインダ用レンズ１１は、ファインダ用レンズ９と同一のものを使用しているが、説明の便宜を図るために符号を分けて示したものである。撮影用レンズ７及び２つのファインダ用レンズ９、１１は、Ｂ方向とコンパクトカメラ２の長手方向が平行になるように同じ向きに配置されている。
【００１９】
アナモルフィックコンバージョン装置１は、コンパクトカメラ２に対して、撮影用レンズ７がコンパクトカメラ２の撮影レンズ２ｃの前方に配置されるように取り付けられる。そして、レンズ支持体５は、ファインダ用レンズ９がコンパクトカメラ２のファインダ２ｄの前面に配置される横方向圧縮位置と、ファインダ用レンズ１１がコンパクトカメラ２のファインダ２ｄの前面に配置される縦方向圧縮位置との間で回転する。
【００２０】
以下、このような構成による、アナモルフィックコンバージョン装置１の作用について説明をする。ユーザーは、撮影中に被写体の１方向を圧縮した画像を撮影したいとき、コンパクトカメラ２の前方にアナモルフィックコンバージョン装置１を取り付ける。
【００２１】
レンズ支持体５の前面には、「ＳＬＩＭ」、「ＦＡＴ」という指標が設けられており、レンズ支持体５を回転させて、これらの指標を系止爪３ｂに設けられた三角形の矢印に合わせることで、画像の圧縮方向を切り替えることができる。
【００２２】
指標「ＳＬＩＭ」を矢印に合わせると、ファインダ用レンズ９がコンパクトカメラ２のファインダ２ｄの前面に配置され、撮影用レンズ７のＢ方向がコンパクトカメラ２の長手方向と平行になるので、被写体をコンパクトカメラ２の長手方向に圧縮した画像が撮影できる。このとき、ファインダ用レンズ９により、撮影される画像に対応して、フレーミングされる画像もコンパクトカメラ２の長手方向に圧縮される。
【００２３】
指標「ＦＡＴ」を矢印に合わせると、ファインダ用レンズ１１がコンパクトカメラ２のファインダ２ｄの前面に配置され、撮影用レンズ７のＢ方向がコンパクトカメラ２の長手方向と垂直になるので、被写体をコンパクトカメラ２の長手方向と垂直な方向に圧縮した画像が撮影できる。このとき、ファインダ用レンズ１１により、撮影される画像に対応して、フレーミングされる画像もコンパクトカメラ２の長手方向と垂直な方向に圧縮される。
【００２４】
このように、ユーザーは、撮影される画像に対応した画像をフレーミングしながら撮影を行うことができるので、現像された写真がイメージと違ってしまうといったことがない。また、撮影用の偏倍レンズと、フレーミング用の偏倍レンズを別々に設け、それぞれを回転させることによって画像の圧縮方向を切り替えるといったことも考えられるが、本発明のアナモルフィックコンバージョン装置では、撮影される画像の圧縮方向を切り替えても、これに連動して、フレーミングされる画像の圧縮方向も、撮影される画像の圧縮方向に対応するように切り替わるようにしたので、２つのレンズを別々に切り替える場合に比べ操作手順が少なくて済むだけでなく、誤操作によって、撮影画像の圧縮方向とフレーミング画像の圧縮方向が不一致のまま撮影をしてしまうといった問題も防ぐことができる。
【００２５】
上記実施形態では、１つの撮影用レンズと２つのファインダ用レンズを用いた例で説明をしたが、ファインダ用レンズを１つにしても本発明は実施可能である。この場合は、図５に示すアナモルフィックコンバージョン装置２０のように、撮影用レンズ７の回転に連動して回転するようにファインダ用レンズを９を設ければよい。なお、上記実施形態と同一の部材については同一の符号を用いている。
【００２６】
図６で示したように、アナモルフィックコンバージョン装置２０は、アナモルフィックコンバージョン装置１と同様にコンパクトカメラ２の前面に取り付けることによって、被写体を１方向に圧縮した画像が撮影できるようになるものである。アナモルフィックコンバージョン装置２０は、台座３０、撮影用レンズ支持体２１、ファインダ用レンズ支持体２２、歯車２３，２４、撮影用レンズ７、ファインダ用レンズ９により構成されている。
【００２７】
撮影用レンズ支持体２１には、撮影用レンズ７が、ファインダ用レンズ支持体２２には、ファインダ用レンズ９が、それぞれ、Ｂ方向をコンパクトカメラ２の長手方向と平行にしてはめ込まれている。撮影用レンズ支持体２１は略円筒形をしており、その側面の一部には歯車２１ａが設けてある。同様にファインダ用レンズ支持体２２も略円筒形をしており、その側面の一部には歯車２２ａが設けてある。
【００２８】
歯車２３は、径が大きく歯数の多い歯車２３ａと径が小さく歯数の少ない歯車２３ｂが一体となって回転する２段式の歯車である。歯車２３ａは、撮影用レンズ支持体２１の歯車２１ａと歯合して回転するようになっている。そして、歯車２３ｂは、歯車２４と歯合して回転する。歯車２４は、ファインダ用レンズ支持体２２の歯車２２ａと歯合して回転する。この２つの歯車２３、２４を介して撮影用レンズ支持体２１と、ファインダ用レンズ支持体２２は連動して回転する。歯車２３を２段式の歯車としたので、撮影用レンズ支持体２１の回転角量に対してファインダ用レンズ支持体２２の回転角量が等しくなる。
【００２９】
撮影用レンズ支持体２１は、その後端側外周に設けられている嵌合突起と台座３０に設けられた嵌合溝が嵌合することによって台座３０に対して回転自在に支持される。同様に、ファインダ用レンズ支持体２２も、その後端側外周に設けられている嵌合突起と台座３０に設けられた嵌合溝が嵌合することによって台座３０に対して回転自在に支持される。各歯車２３、２４は、台座３０に、係止ピン３１，３２によって、それぞれ台座３０に対して回転自在に取り付けられる。一方、台座３０は、２カ所に設けられた系止爪によって、コンパクトカメラ２にアナモルフィックコンバージョン装置２０を取り付け又は取り外しができるようにコンパクトカメラ２との間で着脱自在となっている。
【００３０】
上記のような構成にすれば、ファインダ用レンズを１つにしても、撮影される画像の圧縮方向の切り替えに連動して、フレーミングされる画像の圧縮方向も、撮影される画像の圧縮方向に対応するように切り替わる。これによって、ファインダ用のレンズを１つだけ設ければよいので、製造コストを抑えることができる。
【００３１】
なお、上記実施形態では、撮影される被写体の圧縮方向がカメラの長手方向、もしくはカメラの長手方向に垂直な方向である２つの場合について、撮影される画像に対応した画像をフレーミングできる例について説明をしたが、それ以外の場合についても、撮影される画像に対応した画像をフレーミングできるようにしてもよい。
【００３２】
この場合、アナモルフィックコンバージョン装置２０の例では、撮影用及びファインダ用の各レンズを連動回転させるのに用いる歯車の数を奇数個にすればよい。こうすることによって、撮影用レンズとファインダ用レンズのどちらか一方を回転させたときに、他方の回転方向と等しくなる。これにより、例えば、被写体圧縮方向をカメラ長手方向に対して斜め方向にした場合にも撮影される画像に対応した画像をフレーミングすることが可能になる。また、アナモルフィックコンバージョン装置１の場合については、ファインダ用レンズ９、１１の間に斜め方向フレーミング用のファインダ用レンズを追加して設ければよい。
【００３３】
上記実施例では、カメラに対して取り付け又は取り外しできるように、着脱自在であるアナモルフィックコンバージョン装置の例について説明をしたが、本発明はこれに限られない。予め、カメラとアナモルフィックコンバージョン装置が一体化しているものであってもよい。なお、コンパクトカメラに対して取り付ける例で説明をしたが、これに限られず、その他のカメラ装置、例えば、レンズ付きフイルムユニットなどでも実施可能である。
【００３４】
【発明の効果】
以上詳細に説明したように、本発明のアナモルフィックコンバージョン装置によれば、ファインダ光学系前方にファインダ用のアナモルフィックレンズを設けたので、被写体を１方向に圧縮した画像を撮影するときに、撮影される画像に対応した画像をフレーミングしながら撮影を行うことができる。また、被写体の圧縮方向を切り換えながら撮影を行っても、撮影される画像に対応した画像をフレーミングしながら撮影を行うことができるようにしたので、現像された写真がイメージと違ってしまうといったことがない。
【図面の簡単な説明】
【図１】本発明のアナモルフィックコンバージョン装置の分解図である。
【図２】カメラに本発明のアナモルフィックコンバージョン装置を取り付けた状態の外観斜視図である。
【図３】アナモルフィックレンズの説明図である。
【図４】アナモルフィックレンズ使用による画角と撮影画像の変化について示す説明図である。
【図５】本発明の別のアナモルフィックコンバージョン装置の分解図である。
【図６】カメラに本発明の別のアナモルフィックコンバージョン装置を取り付けた状態の外観斜視図である。
【符号の説明】
１、２０　アナモルフィックコンバージョン装置
２　コンパクトカメラ
３、３０　台座
５　レンズ支持体
７　撮影用レンズ
９、１１　ファインダ用レンズ
２１　撮影用レンズ支持体
２２　ファインダ用レンズ支持体
２３、２４　歯車
【図１】
2004118057.tif 000003
【図２】
2004118057.tif 000004
【図３】
2004118057.tif 000005
【図４】
2004118057.tif 000006
【図５】
2004118057.tif 000007
【図６】
2004118057.tif 000008